(57)【要約】【課題】従来に比してユーザの利便性を向上することが可能なナビゲーション装置を提供する。【解決手段】本発明の一実施形態に係るナビゲーション装置１は、出発地点から目的地点までの適切な経路案内を行うナビゲーション装置であって、走行履歴を格納する走行履歴格納手段２２と、操作履歴を格納する操作履歴格納手段２３と、複数のナビゲーション機能にそれぞれ対応した複数のチュートリアルを格納すると共に、当該複数のチュートリアルにそれぞれ対応した複数のチュートリアル提供基準を格納するチュートリアル格納手段２４と、走行履歴及び前記操作履歴に基づいて、ユーザの操作が複数のチュートリアル提供基準のうちの何れかのチュートリアル提供基準に当てはまるか否かを判断し、当てはまる場合に、当該チュートリアル提供基準に対応したチュートリアルを提供するチュートリアル判断手段２５とを備える。【選択図】図１
2010190734.tif 000002
【特許請求の範囲】
【請求項１】
出発地点から目的地点までの適切な経路案内を行うナビゲーション装置であって、
走行履歴を格納する走行履歴格納手段と、
操作履歴を格納する操作履歴格納手段と、
複数のナビゲーション機能にそれぞれ対応した複数のチュートリアルを格納すると共に、当該複数のチュートリアルにそれぞれ対応した複数のチュートリアル提供基準を格納するチュートリアル格納手段と、
前記走行履歴及び前記操作履歴に基づいて、ユーザの操作が前記複数のチュートリアル提供基準のうちの何れかのチュートリアル提供基準に当てはまるか否かを判断し、当てはまる場合に、当該チュートリアル提供基準に対応したチュートリアルを提供するチュートリアル判断手段と、
を備える、ナビゲーション装置。
【請求項２】
前記走行履歴は、走行した道路が高速道路であるか又は一般道路であるかという走行道路情報と、目的地に設定した場所、施設、ジャンル及びＡＣＣ電源をオフした場所という目的地情報とを含む、
請求項１に記載のナビゲーション装置。
【請求項３】
前記操作履歴は、どの機能を利用したか及びどう操作したかという操作情報と、操作時の車両の走行状態とを含む、
請求項１に記載のナビゲーション装置。
【発明の詳細な説明】
【技術分野】
【０００１】
本発明は、車両等に搭載されるナビゲーション装置に関するものである。
【背景技術】
【０００２】
出発地点から目的地点までの適切な経路案内を行うナビゲーション装置が知られている。この種のナビゲーション装置では、ユーザの利便性を向上するために様々な機能が考案されており、その機能は増加、多様化している。また、多機能化に伴い、操作が複雑化している。そのために、ユーザはこれらの機能を使いこなせていない傾向がある。
【０００３】
この問題点に関し、特許文献１に記載のナビゲーション装置は、これらの機能の一覧から所望の機能を検索する検索機能を備え、ユーザの要望にあった機能の引き出しを用意に行うことができるとしている。
【先行技術文献】
【特許文献】
【０００４】
【特許文献１】特開２００５−３５１８６８号公報
【発明の概要】
【発明が解決しようとする課題】
【０００５】
しかしながら、特許文献１に記載のナビゲーション装置では、ユーザが機能名称などを入力しなければならず、検索操作が煩わしく、ユーザによっては機能をうまく検索しきれないことがある。
【０００６】
そこで、本発明は、従来に比してユーザの利便性を向上することが可能なナビゲーション装置を提供することを目的としている。
【課題を解決するための手段】
【０００７】
本発明のナビゲーション装置は、出発地点から目的地点までの適切な経路案内を行うナビゲーション装置であって、走行履歴を格納する走行履歴格納手段と、操作履歴を格納する操作履歴格納手段と、複数のナビゲーション機能にそれぞれ対応した複数のチュートリアルを格納すると共に、当該複数のチュートリアルにそれぞれ対応した複数のチュートリアル提供基準を格納するチュートリアル格納手段と、走行履歴及び前記操作履歴に基づいて、ユーザの操作が複数のチュートリアル提供基準のうちの何れかのチュートリアル提供基準に当てはまるか否かを判断し、当てはまる場合に、当該チュートリアル提供基準に対応したチュートリアルを提供するチュートリアル判断手段とを備える。
【０００８】
このナビゲーション装置によれば、走行履歴及び操作履歴から、チュートリアル提供基準に当てはまる非効率的又は不便な操作を検知することができ、このチュートリアル提供基準に対応したチュートリアルを提供することによって、この非効率的又は不便な操作と同一の目的を達成するためのより効率的又は便利な操作を提供することができる。また、このナビゲーション装置によれば、ユーザに適した機能を自律的に紹介することができる。したがって、従来に比してユーザの利便性を向上することが可能となる。
【０００９】
上記した走行履歴は、走行した道路が高速道路であるか又は一般道路であるかという走行道路情報と、目的地に設定した場所、施設、ジャンル及びＡＣＣ電源をオフした場所という目的地情報とを含む。
【００１０】
また、上記した操作履歴は、どの機能を利用したか及びどう操作したかという操作情報と、操作時の車両の走行状態とを含む。
【発明の効果】
【００１１】
本発明によれば、ナビゲーション装置において、従来に比してユーザの利便性を向上することができる。
【図面の簡単な説明】
【００１２】
【図１】本発明の実施形態に係るナビゲーション装置の電気的な構成を示す図である。
【図２】本実施形態のナビゲーション装置によるチュートリアル検索処理を示すフローチャートである。
【図３】表示部によるチュートリアル情報の表示の一例を示す。
【発明を実施するための形態】
【００１３】
以下、図面を参照して本発明の好適な実施形態について詳細に説明する。なお、各図面において同一又は相当の部分に対しては同一の符号を附すこととする。
【００１４】
図１は、本発明の実施形態に係るナビゲーション装置１の電気的な構成を示す図である。図１に示すナビゲーション装置１は、ナビゲーション機能部１０とチュートリアル検索部２０とを備える。
【００１５】
ナビゲーション機能部１０は、周知のナビゲーション装置であり、例えば、操作スイッチやタッチパネルなどの操作部１１と、マイクやスピーカなどの音声入出力部１２と、地図データや施設データなどを格納するＤＢ部１３と、液晶ディスプレイなどの表示部１４と、ＥＣＵ（Electronic Control Unit）１５とを備える。
【００１６】
ナビゲーション機能部１０は、操作部１１によるユーザ操作や音声入出力部１２による音声操作に応じて、出発地点から目的地点までの適切な経路をＤＢ部１３における地図データや施設データから検索し、表示部１４による表示や音声入出力部１２による音声によって、ユーザに経路案内を提供する。ナビゲーション機能部１０におけるこれらの動作は、ＥＣＵ１５によって統括制御される。ＥＣＵ１５は、演算を行うＣＰＵ（Central Processing Unit）、ＣＰＵに各処理を実行させるためのプログラム等を記憶するＲＯＭ（Read Only Memory）、演算結果などの各種データを記憶するＲＡＭ（Random Access Memory）などから構成されている。
【００１７】
なお、ナビゲーション機能部１０は、本実施形態に限定されることなく、例えば、車両情報を取得するための各種センサやＧＰＳ機能などを備える態様であってもよい。
【００１８】
チュートリアル検索部２０は、ＥＣＵ（Electronic Control Unit）であり、演算を行うＣＰＵ（Central Processing Unit）、ＣＰＵに各処理を実行させるためのプログラム等を記憶するＲＯＭ（Read Only Memory）、演算結果などの各種データを記憶するＲＡＭ（Random Access Memory）などから構成されている。このような構成により、チュートリアル検索部２０には、蓄積制御部２１と、走行履歴格納部２２と、操作履歴格納部２３と、チュートリアル格納部２４と、チュートリアル判断部２５とが構築される。
【００１９】
蓄積制御部２１は、ナビゲーション機能部１０から車両情報及び操作情報を受ける。車両情報は、走行中、停止中などの車両の走行状態と、ＡＣＣ（Accessory）電源オン／オフなどの車両の状態と、どこを通ったかという走行経路情報とを含む。一方、操作情報は、どの機能を利用したか、どう操作したのかという情報を含む。
【００２０】
蓄積制御部２１は、これらの車両情報及び操作情報から走行履歴を生成し、走行履歴格納部２２に格納する。走行履歴は、走行した道路が高速道路であるか、一般道路であるかなどの走行道路情報と、目的地に設定した場所、施設、ジャンル及びＡＣＣ電源をオフした場所などの目的地情報とを含む。
【００２１】
また、蓄積制御部２１は、これらの車両情報及び操作情報から操作履歴を生成し、操作履歴格納部２３に格納する。操作履歴は、上記した操作情報と、その操作時の車両の走行状態（走行中、停止中）を含む。
【００２２】
チュートリアル格納部２４は、ナビゲーション機能部１０が有する複数のナビゲーション機能にそれぞれ対応した複数のチュートリアルデータを予め格納している。また、チュートリアル格納部２４は、これらのチュートリアルをどのような場合に提供するかを表すチュートリアル提供基準を、複数のチュートリアルにそれぞれ対応付けて格納している。すなわち、各チュートリアル提供基準は、予想される非効率的又は不便な操作を表し、各チュートリアルは、この非効率的又は不便な操作と同一の目的を達成するためのより効率的又は便利な操作を有するナビゲーション機能のチュートリアルである。例えば、チュートリアル格納部２４は、これらの複数のチュートリアルデータとチュートリアル提供基準とデータテーブルとして格納している。
【００２３】
チュートリアル判断部２５は、走行履歴格納部２２に格納された走行履歴及び操作履歴格納部２３に格納された操作履歴に基づいて、ユーザの操作がチュートリアル格納部２４における複数のチュートリアル提供基準のうちの何れかのチュートリアル提供基準に当てはまるか否かを判断し、当てはまる場合に、チュートリアル格納部２４においてこのチュートリアル提供基準に対応するチュートリアルを、ナビゲーション機能部１０を介してユーザに提供する。具体的には、チュートリアル判断部２５は、チュートリアルの情報をナビゲーション機能部１０に供給し、表示部１４に表示させる。チュートリアル情報は、チュートリアルの入り口のためのボタン表示位置情報や、ナビゲーション機能説明のための文章、画像、動画などのチュートリアルデータである。
【００２４】
例えば、チュートリアル判断部２５は、走行履歴及び操作履歴から、同じ場所を何度も目的地設定している操作がチュートリアル提供基準に当てはまる場合、このチュートリアル提供基準に対応したチュートリアルであって、この非効率的又は不便な操作と同一の目的を達成するためのより効率的又は便利な操作を有する履歴検索機能のチュートリアルや、メモリ地点登録機能のチュートリアルを提供する。
【００２５】
また、例えば、チュートリアル判断部２５は、走行履歴及び操作履歴から、ガソリンスタンドやコンビニなどの施設を目的地に設定する操作や、目的地を名称検索によってゴルフ場に設定する操作がチュートリアル提供基準に当てはまる場合、このチュートリアル提供基準に対応したチュートリアルであって、この非効率的又は不便な操作と同一の目的を達成するためのより効率的又は便利な操作を有する施設検索機能のチュートリアルを提供する。
【００２６】
また、例えば、チュートリアル判断部２５は、走行履歴及び操作履歴から、走行中に目的地設定をする操作がチュートリアル提供基準に当てはまる場合、このチュートリアル提供基準に対応したチュートリアルであって、この非効率的又は不便な操作と同一の目的を達成するためのより効率的又は便利な操作を有する音声認識による目的地設定機能のチュートリアルを提供する。
【００２７】
また、例えば、チュートリアル判断部２５は、走行履歴及び操作履歴から、目的地以外の場所でＡＣＣ電源をオフする操作がチュートリアル提供基準に当てはまる場合、このチュートリアル提供基準に対応したチュートリアルであって、この非効率的又は不便な操作と同一の目的を達成するためのより効率的又は便利な操作を有する経由地点設定機能のチュートリアルを提供する。
【００２８】
また、例えば、チュートリアル判断部２５は、走行履歴及び操作履歴から、高速道路を利用し、予定の降り口手前で降りる操作がチュートリアル提供基準に当てはまる場合、このチュートリアル提供基準に対応したチュートリアルであって、この非効率的又は不便な操作と同一の目的を達成するためのより効率的又は便利な操作を有するＩＣ変更機能のチュートリアルを提供する。
【００２９】
また、例えば、チュートリアル判断部２５は、走行履歴及び操作履歴から、走行中に割り込み画面を解除する操作が多いことがチュートリアル提供基準に当てはまる場合、このチュートリアル提供基準に対応したチュートリアルであって、この非効率的又は不便な操作と同一の目的を達成するためのより効率的又は便利な操作を有する割り込み画面設定機能のチュートリアルを提供する。
【００３０】
また、例えば、チュートリアル判断部２５は、走行履歴及び操作履歴から、ＣＤを入れて何度も音楽を聴く操作がチュートリアル提供基準に当てはまる場合、このチュートリアル提供基準に対応したチュートリアルであって、この非効率的又は不便な操作と同一の目的を達成するためのより効率的又は便利な操作を有するＨＤＤ（Hard Disk Drive）への録音機能のチュートリアルを提供する。
【００３１】
なお、チュートリアル判断部２５は、走行履歴及び操作履歴に加えて更にナビゲーション機能部１０からの車両情報及び操作情報に基づいて、チュートリアルを提供するか否かの判断を行ってもよい。
【００３２】
次に、ナビゲーション装置１の動作を説明する。図２は、本実施形態のナビゲーション装置によるチュートリアル検索処理を示すフローチャートである。
【００３３】
まず、蓄積制御部２１によって車両情報及び操作情報が取得され、上記した走行履歴及び操作履歴が生成される。走行履歴は走行履歴格納部２２に格納され（Ｓ０１）、操作履歴は操作履歴格納部２３に格納される（Ｓ０２）。これらの処理は繰り返し行われ、走行履歴格納部２２及び操作履歴格納部２３にはそれぞれ走行履歴、操作履歴が蓄積される。
【００３４】
次に、チュートリアル判断部２５によって、走行履歴及び操作履歴に基づいて、ユーザの操作がチュートリアル格納部２４における複数のチュートリアル提供基準のうちの何れかのチュートリアル提供基準に当てはまるか否かの判断が行われ、当てはまる場合に、チュートリアル格納部２４においてこのチュートリアル提供基準に対応するチュートリアルが検索される。すなわち、非効率的又は不便な操作が検知され、この非効率的又は不便な操作と同一の目的を達成するためのより効率的又は便利な操作を有するナビゲーション機能のチュートリアルが検索される（Ｓ０３）。
【００３５】
その後、チュートリアル判断部２５によって、検索されたチュートリアルの表示情報がナビゲーション機能部１０に供給され、ナビゲーション機能部１０によって、表示部１４にチュートリアル情報が表示される（Ｓ０４）。
【００３６】
図３に、表示部によるチュートリアル情報の表示の一例を示す。
【００３７】
図３（ａ）に示すように、チュートリアル選択画面において、画面下部の「おすすめ」一覧に、チュートリアル情報を表示してもよい。また、図３（ｂ）に示すように、目的地設定メニューなどの各メニュー画面において、各機能ボタンとともにチュートリアルの入り口ボタンを表示し、このチュートリアルの入り口ボタンに対応してチュートリアル情報を表示してもよい。また、図３（ｃ）に示すように、起動時画面において、チュートリアルの入り口を表示し、このチュートリアルの入り口に対応してチュートリアル情報を表示してもよい。
【００３８】
このように、本実施形態のナビゲーション装置１によれば、走行履歴及び操作履歴から、チュートリアル提供基準に当てはまる非効率的又は不便な操作を検知することができ、このチュートリアル提供基準に対応したチュートリアルを提供することによって、この非効率的又は不便な操作と同一の目的を達成するためのより効率的又は便利な操作を提供することができる。また、本実施形態のナビゲーション装置１によれば、ユーザに適した機能を自律的に紹介することができる。したがって、従来に比してユーザの利便性を向上することが可能となる。
【００３９】
なお、本発明は上記した本実施形態に限定されることなく種々の変形が可能である。
【符号の説明】
【００４０】
１…ナビゲーション装置、１０…ナビゲーション機能部、１１…操作部、１２…音声入出力部、１３…ＤＢ部、１４…表示部、２０…チュートリアル検索部、２１…蓄積制御部、２２…走行履歴格納部、２３…操作履歴格納部、２４…チュートリアル格納部、２５…チュートリアル判断部。
【図１】
2010190734.tif 000003
【図２】
2010190734.tif 000004
【図３】
2010190734.tif 000005